【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
ネットワークに接続されたクライアント装置と、該ネットワークに接続され画像，文書，音声の少なくとも一つの出力を行う複数の出力装置との間で、前記クライアント装置からの出力要求を前記複数の出力装置のいずれかに仲介する出力仲介サーバコンピュータであって、
前記クライアント装置からの複数の前記出力要求を保留する保留部と、
前記保留された複数の出力要求のうち前記仲介を実行に移す出力要求を特定するための特定情報を、前記複数の出力装置のうち該特定情報を前記クライアント装置から前記ネットワークを介さない直接的な通信によって取得した出力装置を介して取得する特定情報取得部と、
前記特定情報によって特定される出力要求を、該特定情報の取得経路となった出力装置に送信する送信部と
を備える出力仲介サーバコンピュータ。
【請求項２】
請求項１記載の出力仲介サーバコンピュータであって、
前記直接的な通信は、前記複数の出力装置のうちの一以上の出力装置に対して、前記クライアント装置から前記特定情報を送信することが可能な無線通信であり、
所定の前記出力要求を特定するための特定情報の取得経路となった出力装置が複数ある場合に、該所定の出力要求の送信に先立って、前記クライアント装置に対し、該特定情報の取得経路となった出力装置の一覧を提示する提示部を備える出力仲介サーバコンピュータ。
【請求項３】
請求項２記載の出力仲介サーバコンピュータであって、
更に、前記特定情報の取得経路となった複数の出力装置のうち該特定情報によって特定される出力要求の出力先となる出力装置を指定する出力先指定情報を、前記クライアント装置から受け取る出力先指定部を備え、
前記送信部は、該出力先指定情報によって指定された出力装置に前記出力要求を送信する
出力仲介サーバコンピュータ。
【請求項４】
クライアント装置および出力仲介サーバコンピュータが接続されたネットワークにおいて、前記クライアント装置の指示に従って前記出力仲介サーバコンピュータの仲介を経て送信された出力要求に基づいて、画像，文書，音声の少なくとも一つの出力を行う出力装置であって、
前記クライアント装置と前記ネットワークを介さない直接的な通信を行う通信部と、
前記出力仲介サーバコンピュータが保留する複数の前記出力要求のうち前記仲介を実行に移す出力要求を特定するための特定情報を、前記クライアント装置から前記通信部を介して取得する取得部と、
該取得された特定情報と、前記ネットワーク上における当該出力装置の所在を特定するための所在情報とを関連付けて前記出力仲介サーバコンピュータに伝達する伝達部と
を備える出力装置
【請求項５】
ネットワークに接続され画像，文書，音声の少なくとも一つの出力を行う出力装置に対し、該ネットワークを介して出力要求を送信するクライアント装置であって、
前記出力装置と前記ネットワークを介さない直接的な通信を行う通信部と、
前記ネットワーク上における前記出力装置の所在を特定するための所在情報を、前記通信部を介して、前記出力装置から取得する取得部と、
該取得された所在情報によって特定される出力装置に、前記ネットワークを介して前記出力要求を送信する送信部と
を備えるクライアント装置。
【請求項６】
クライアント装置が接続されたネットワーク上に設けられ、前記クライアント装置からの前記ネットワークを介した出力要求に基づいて、画像，文書，音声の少なくとも一つの出力を行う出力装置であって、
前記クライアント装置と前記ネットワークを介さない直接的な通信を行う通信部と、
前記ネットワーク上における当該出力装置の所在を特定するための所在情報を、前記通信部を介して前記クライアント装置に送信する送信部と
を備える出力装置。
【請求項７】
ネットワークに接続され画像，文書，音声の少なくとも一つの出力を行う出力装置に対し、該ネットワークを介して出力要求を送信するクライアント装置であって、
前記出力装置と前記ネットワークを介さない直接的な通信を行う通信部と、
前記ネットワーク上における当該クライアント装置の所在を特定するための第１の所在情報を、前記通信部を介して、前記出力装置に通知する通知部と、
該通知された第１の所在情報に基づいて前記出力装置が送信した前記ネットワーク上における該出力装置の所在を特定するための第２の所在情報を、前記ネットワークを経由して受信する受信部と、
該受信した第２の所在情報によって特定される出力装置に、前記ネットワークを介して前記出力要求を送信する送信部と
を備える出力要求装置
【請求項８】
クライアント装置が接続されたネットワーク上に設けられ、前記クライアント装置からの前記ネットワークを介した出力要求に基づく出力を行う出力装置であって、
前記クライアント装置と前記ネットワークを介さない直接的な通信を行う通信部と、
前記ネットワーク上における前記クライアント装置の所在を特定するための第１の所在情報を、該クライアント装置から前記通信部を介して取得する取得部と、
該取得された第１の所在情報によって特定されるクライアント装置に、前記ネットワーク上における当該出力装置の所在を特定するための第２の所在情報を、前記ネットワークを介して送信する送信部と
を備える出力装置。
【請求項９】
前記通信部は、通信可能な範囲が、該出力装置から所定の近距離内に制限されている請求項４または６，８のいずれか記載の出力装置。
【請求項１０】
前記通信部は、赤外線または微弱電波を利用した通信を行う請求項９記載の出力装置。
【請求項１１】
ネットワークに設けられた出力仲介サーバコンピュータを利用して、該ネットワークに接続されたクライアント装置と、該ネットワークに接続され画像，文書，音声の少なくとも一つの出力を行う複数の出力装置との間で、前記クライアント装置からの出力要求を前記複数の出力装置のいずれかに仲介する仲介方法であって、
前記出力仲介サーバコンピュータによって、前記クライアント装置からの複数の前記出力要求を保留し、
前記出力仲介サーバコンピュータによって、前記保留された複数の出力要求のうち前記仲介を実行に移す出力要求を特定するための特定情報を、前記複数の出力装置のうち該特定情報を前記クライアント装置から前記ネットワークを介さない直接的な通信によって取得した出力装置を介して取得し、
前記出力仲介サーバコンピュータによって、前記特定情報によって特定される出力要求を、該特定情報の取得経路となった出力装置に送信する
仲介方法。
【請求項１２】
クライアント装置および出力仲介サーバコンピュータが接続されたネットワークにおいて、該ネットワークに接続され画像，文書，音声の少なくとも一つの出力を行う出力装置を利用して、前記クライアント装置の指示に従って前記出力仲介サーバコンピュータの仲介を経て送信された出力要求に基づいて、画像，文書，音声の少なくとも一つの出力を行う出力方法であって、
前記クライアント装置との前記ネットワークを介さない直接的な通信を介して、前記出力仲介サーバコンピュータが保留する複数の前記出力要求のうち前記仲介を実行に移す出力要求を特定するための特定情報を、前記出力装置によって前記クライアント装置から取得し、
該取得された特定情報と、前記ネットワーク上における前記出力装置の所在を特定するための所在情報とを関連付けて、該出力装置によって前記出力仲介サーバコンピュータに伝達し、
該伝達された特定情報によって特定され、該特定情報と共に伝達された所在情報に基づいて前記出力仲介サーバコンピュータが前記ネットワークを介して送信した出力要求を、前記出力装置によって受信する
出力方法。
【請求項１３】
ネットワークに接続され画像，文書，音声の少なくとも一つの出力を行う出力装置に対し、該ネットワークに接続されたクライアント装置を利用して出力要求を送信する出力要求方法であって、
前記クライアント装置によって、前記出力装置との前記ネットワークを介さない直接的な通信により、前記ネットワーク上における該出力装置の所在を特定するための所在情報を、前記出力装置から取得し、
該取得された所在情報によって特定される出力装置に、前記クライアント装置によって前記ネットワークを介して前記出力要求を送信する
出力要求方法。
【請求項１４】
ネットワークに接続され画像，文書，音声の少なくとも一つの出力を行う出力装置を利用して、該ネットワークに接続されたクライアント装置からの出力要求に基づく出力を行う出力方法であって、
前記出力装置によって、前記クライアント装置との前記ネットワークを介さない直接的な通信により、前記ネットワーク上における該出力装置の所在を特定するための所在情報を、前記クライアント装置に送信し、
該送信された所在情報に基づいて前記クライアント装置が前記ネットワークを介して送信した前記出力要求を、前記出力装置によって受信する
出力方法。
【請求項１５】
ネットワークに接続され画像，文書，音声の少なくとも一つの出力を行う出力装置に対し、該ネットワークに接続されたクライアント装置を利用して出力要求を送信する出力要求方法であって、
前記クライアント装置によって、前記出力装置との前記ネットワークを介さない直接的な通信により、前記ネットワーク上における該クライアント装置の所在を特定するための第１の所在情報を、前記出力装置に通知し、
該通知された第１の所在情報に基づいて前記出力装置が送信した前記ネットワーク上における該出力装置の所在を特定するための第２の所在情報を、前記クライアント装置によって、前記ネットワークを経由して受信し、
該受信した第２の所在情報によって特定される出力装置に、前記クライアント装置によって前記ネットワークを介して前記出力要求を送信する
出力要求方法。
【請求項１６】
ネットワークに接続され画像，文書，音声の少なくとも一つの出力を行う出力装置を利用して、該ネットワークに接続されたクライアント装置からの出力要求に基づく出力を行う出力方法であって、
前記出力装置によって、前記クライアント装置との前記ネットワークを介さない直接的な通信により、前記ネットワーク上における該クライアント装置の所在を特定するための第１の所在情報を、該クライアント装置から取得し、
該取得された第１の所在情報によって特定されるクライアント装置に、前記ネットワーク上における前記出力装置の所在を特定するための第２の所在情報を、該出力装置によって前記ネットワークを介して送信し、
該送信された第２の情報に基づいて前記クライアント装置が前記ネットワークを介して送信した前記出力要求を、前記出力装置によって受信する
出力方法。
【請求項１７】
ネットワークに接続されたクライアント装置と、該ネットワークに接続され画像，文書，音声の少なくとも一つの出力を行う複数の出力装置との間で、該ネットワークに接続された出力仲介サーバコンピュータに備えられたコンピュータによって、前記クライアント装置からの出力要求を前記複数の出力装置のいずれかに仲介するためのコンピュータプログラムであって、
前記クライアント装置からの複数の前記出力要求を保留する機能と、
前記保留された複数の出力要求のうち前記仲介を実行に移す出力要求を特定するための特定情報を、前記複数の出力装置のうち該特定情報を前記クライアント装置から前記ネットワークを介さない直接的な通信によって取得した出力装置を介して取得する機能と、
前記特定情報によって特定される出力要求を、該特定情報の取得経路となった出力装置に送信する機能と
を前記コンピュータにより実現させるためのコンピュータプログラム。
【請求項１８】
クライアント装置および出力仲介サーバコンピュータが接続されたネットワークにおいて、該ネットワークに接続され画像，文書，音声の少なくとも一つの出力を行う出力装置に備えられたコンピュータによって、前記クライアント装置の指示に従って前記出力仲介サーバコンピュータの仲介を経て送信された出力要求に基づいて、画像，文書，音声の少なくとも一つの出力を行うためのコンピュータプログラムであって、
前記クライアント装置との前記ネットワークを介さない直接的な通信を介して、前記出力仲介サーバコンピュータが保留する複数の前記出力要求のうち前記仲介を実行に移す出力要求を特定するための特定情報を、前記クライアント装置から取得する機能と、
該取得された特定情報と、前記ネットワーク上における前記出力装置の所在を特定するための所在情報とを関連付けて前記出力仲介サーバコンピュータに伝達する機能と、
該伝達された特定情報によって特定され、該特定情報と共に伝達された所在情報に基づいて前記出力仲介サーバコンピュータが前記ネットワークを介して送信した出力要求を、前記出力装置によって受信する機能と
を前記コンピュータにより実現させるためのコンピュータプログラム。
【請求項１９】
ネットワークに接続され画像，文書，音声の少なくとも一つの出力を行う出力装置に対し、該ネットワークに接続されたクライアント装置に備えられたコンピュータによって、該ネットワークを介して出力要求を送信するためのコンピュータプログラムであって、
前記出力装置との前記ネットワークを介さない直接的な通信により、前記ネットワーク上における該出力装置の所在を特定するための所在情報を、前記出力装置から取得する機能と、
該取得された所在情報によって特定される出力装置に、前記ネットワークを介して前記出力要求を送信する機能と
を前記コンピュータにより実現させるためのコンピュータプログラム。
【請求項２０】
ネットワークに接続され画像，文書，音声の少なくとも一つの出力を行う出力装置に備えられたコンピュータによって、該ネットワークに接続されたクライアント装置からの出力要求に基づく出力を行わせるためのコンピュータプログラムであって、
前記クライアント装置との前記ネットワークを介さない直接的な通信により、前記ネットワーク上における該出力装置の所在を特定するための所在情報を、前記クライアント装置に送信する機能と、
該送信された所在情報に基づいて前記クライアント装置が前記ネットワークを介して送信した前記出力要求を受信する機能と
を前記コンピュータにより実現させるためのコンピュータプログラム。
【請求項２１】
ネットワークに接続され画像，文書，音声の少なくとも一つの出力を行う出力装置に対し、該ネットワークに接続されたクライアント装置に備えられたコンピュータによって、該ネットワークを介して出力要求を送信するためのコンピュータプログラムであって、
前記出力装置との前記ネットワークを介さない直接的な通信により、前記ネットワーク上における該クライアント装置の所在を特定するための第１の所在情報を、前記出力装置に通知する機能と、
該通知された第１の所在情報に基づいて前記出力装置が送信した前記ネットワーク上における該出力装置の所在を特定するための第２の所在情報を、前記ネットワークを経由して受信する機能と、
該受信した第２の所在情報によって特定される出力装置に、前記ネットワークを介して前記出力要求を送信する機能と
を前記コンピュータにより実現させるためのコンピュータプログラム。
【請求項２２】
ネットワークに接続され画像，文書，音声の少なくとも一つの出力を行う出力装置に備えられたコンピュータによって、該ネットワークに接続されたクライアント装置からの出力要求に基づく出力を行わせるためのコンピュータプログラムであって、
前記クライアント装置との前記ネットワークを介さない直接的な通信により、前記ネットワーク上における該クライアント装置の所在を特定するための第１の所在情報を、該クライアント装置から取得する機能と、
該取得された第１の所在情報によって特定されるクライアント装置に、前記ネットワーク上における前記出力装置の所在を特定するための第２の所在情報を、前記ネットワークを介して前記出力要求装置に送信する機能と、
該送信された第２の情報に基づいて前記クライアント装置が前記ネットワークを介して送信した前記出力要求を受信する機能と
を前記コンピュータに実現させるためのコンピュータプログラム。
【請求項２３】
請求項１７ないし２２のいずれか記載のコンピュータプログラムをコンピュータ読み取り可能に記録した記録媒体。
【請求項２４】
前記通信部は、通信可能な範囲が、該出力装置から所定の近距離内に制限されている請求項５または７記載のクライアント装置。
【請求項２５】
前記通信部は、赤外線または微弱電波を利用した通信を行う請求項２４記載のクライアント装置。